(57)【要約】【課題】地震による書籍等の収納棚からの落下を防ぐ滑り止め構造を提供する。【解決手段】書籍Ｂの下部を載置カバー１１によりコの字状に挟み、これを掛留体１３により固定した。また、載置カバー１１の外表面側であって、書籍Ｂの地小口Ｂ３に重なる部位に滑り止め部１２を形成した。さらに、載置カバー１１の内表面側であって、滑り止め部１２に重なる部位に書籍Ｂの高低差Ｔに対応する高さの嵩上げ層１４を備えた。これにより、書籍Ｂの重量を滑り止め部１２に伝え摩擦力を適切に生じさせた。【選択図】図１
2014037117.tif 000002
【特許請求の範囲】
【請求項１】
載置面上の書籍の移動を摩擦力によって防ぐ滑り止め構造において、
前記書籍の表表紙および裏表紙の表面上の一部を覆い、前記書籍の地小口に沿って前記各表紙間に渡され、前記載置面上に接する載置カバーと、
前記載置カバーの端縁間に掛け渡され、前記載置カバーを前記書籍に密着させて、前記書籍を閉状態に維持する掛留体と、を有し、
前記載置カバーの外表面側であって、書籍の地小口に重なる部位に滑り止め部を形成したことを特徴とする滑り止め構造。
【請求項２】
前記掛留体は、前記載置カバーとは別体の帯状に形成され、
前記掛留体の一端を、前記載置カバーのうち前記書籍の表表紙および裏表紙の何れか一方を覆う側に止着し、該掛留体の途中を、前記載置カバーのうち前記書籍の表表紙および裏表紙の何れか他方を覆う側に沿って周回させた後、該掛留体の他端を前記一方を覆う側に止着して、前記書籍を包囲することを特徴とする請求項１に記載の滑り止め構造。
【請求項３】
前記掛留体は、前記載置カバーのうち前記書籍の表表紙および裏表紙の何れか一方を覆う側より左右方向に延びるカバー状に一体に形成され、
前記掛留体の両端を、それぞれ前記載置カバーのうち前記書籍の表表紙および裏表紙の何れか他方を覆う側に沿って周回させた後、該他方を覆う側で互いを重ね合わせた状態で止着して、前記書籍を包囲することを特徴とする請求項１に記載の滑り止め構造。
【請求項４】
前記載置カバーの内表面側であって、前記滑り止め部に重なる位置に嵩上げ層を設けたことを特徴とする請求項１、２または３に記載の滑り止め構造。
【請求項５】
前記滑り止め部は、前記書籍の前記各表紙の下端縁間を渡る長さに形成したことを特徴とする請求項１，２，３または４に記載の滑り止め構造。
【請求項６】
前記載置カバーおよび掛留体の少なくとも一つは透光性を有する透明材質により形成されたことを特徴とする請求項１，２，３，４または５に記載の滑り止め構造。
【発明の詳細な説明】
【技術分野】
【０００１】
本発明は、載置面上の書籍の移動を摩擦力により防ぐ滑り止め構造に関する。
【背景技術】
【０００２】
従来、地震の揺れによる物の落下を防ぐことに関する様々な技術が開発され、工夫がなされてきた。例えば、書棚における書籍等の物体の落下を防ぐ技術としては、書棚の手前側に棒状のストッパーを設けるものや棚に傾斜を設けるものが既に知られている。しかしながら、これらの技術では、書棚そのものを変更する必要があり現在ある書棚にそれを施すことはできないか、もしくは大変困難である。
【０００３】
かかる問題を対処し得る従来の手段として、例えば、特許文献１に開示されているように、棚板等の一部に高摩擦材シートを敷く方法がすでに提案されている。これは棚板上の手前側に相対的に摩擦力の高いシートを位置させて、揺れの際に手前側への書籍の移動を防ぐことにより、書籍の落下を防止するものである。
【先行技術文献】
【特許文献】
【０００４】
【特許文献１】特開２００３−０７９４６１号公報
【発明の概要】
【発明が解決しようとする課題】
【０００５】
しかしながら、前述した特許文献１に記載された従来の技術では、書籍の落下を防ぐためには書棚全体の広範囲に亘ってシートを敷かなければならず、また、本の形状やサイズが考慮されておらず、本とシートの接触する部分を考慮すると、本との適切な摩擦力を得るための必要なシートの大きさはますます大きなものとならざるを得ないものであった。
【０００６】
このような従来のシートに関する問題点に鑑みて、本件発明者らは、既に特願２０１２−１２９３０８号により、滑り止め片を物体の底部に重なる状態にして載置面と接触させて摩擦力を有効に生じさせたことにより、地震等の際に物体の移動を最小化できる滑り止め構造を提案している。
【０００７】
ところが、特願２０１２−１２９３０８号により既に提案した発明では、特に厚さや重量の大きな書籍に関する場合に、発明者らのさらなる実験の結果、以下のような新たな問題点が判明した。
【０００８】
すなわち、厚さや重量の大きな書籍の場合、水平方向の動きを主とする横揺れの地震の際に、地震波による共振で書籍の厚さ方向における「ゆがみ」が生じる。このゆがみによって書籍が開き、重心や載置面との接触箇所が変化してしまうことにより、従来の滑り止め構造では、適切に摩擦力を働かせて書棚等の載置面に留め置くことができないことが判明した。
【０００９】
本発明は、このような従来の技術が有する問題点に着目してなされたもので、書籍を閉じた状態に保持した上で、その重量を載置面に伝えることにより適切に摩擦力を生じさせて書籍のゆがみや移動を抑制して、その落下を防ぎ、または遅らせることにより、地震の際に避難空間、経路、時間を確保することを実現することができ、しかも、より簡易な構造で安価に製造することができる滑り止め構造を提供することを目的としている。
【課題を解決するための手段】
【００１０】
前述した目的を達成するための本発明の要旨とするところは、以下の各項の発明に存する。
［１］載置面上の書籍（Ｂ）の移動を摩擦力によって防ぐ滑り止め構造（１０，１００）において、
前記書籍（Ｂ）の表表紙（Ｂ１）および裏表紙（Ｂ２）の表面上の一部を覆い、前記書籍（Ｂ）の地小口（Ｂ３）に沿って前記各表紙（Ｂ１，Ｂ２）間に渡され、前記載置面上に接する載置カバー（１１，１１０）と、
前記載置カバー（１１，１１０）の端縁間に掛け渡され、前記載置カバー（１１，１１０）を前記書籍（Ｂ）に密着させて、前記書籍（Ｂ）を閉状態に維持する掛留体（１３，１３０）と、を有し、
前記載置カバー（１１，１１０）の外表面側であって、書籍（Ｂ）の地小口（Ｂ３）に重なる部位に滑り止め部（１２，１２０）を形成したことを特徴とする滑り止め構造（１０，１００）。
【００１１】
［２］前記掛留体（１３）は、前記載置カバー（１１）とは別体の帯状に形成され、
前記掛留体（１３）の一端（１３ａ）を、前記載置カバー（１１）のうち前記書籍（Ｂ）の表表紙（Ｂ１）および裏表紙（Ｂ２）の何れか一方を覆う側（１１ａ）に止着し、該掛留体（１３）の途中を、前記載置カバー（１１）のうち前記書籍（Ｂ）の表表紙（Ｂ１）および裏表紙（Ｂ２）の何れか他方を覆う側（１１ｂ）に沿って周回させた後、該掛留体（１３）の他端（１３ｂ）を前記一方を覆う側（１１ａ）に止着して、前記書籍（Ｂ）を包囲することを特徴とする［１］に記載の滑り止め構造（１０）。
【００１２】
［３］前記掛留体（１３０）は、前記載置カバー（１１０）のうち前記書籍（Ｂ）の表表紙（Ｂ１）および裏表紙（Ｂ２）の何れか一方を覆う側（１１０ａ）より左右方向に延びるカバー状に一体に形成され、
前記掛留体（１３０）の両端（１３０ａ，１３０ｂ）を、それぞれ前記載置カバー（１１０）のうち前記書籍（Ｂ）の表表紙（Ｂ１）および裏表紙（Ｂ２）の何れか他方を覆う側（１１０ｂ）に沿って周回させた後、該他方を覆う側（１１０ｂ）で互いを重ね合わせた状態で止着して、前記書籍（Ｂ）を包囲することを特徴とする［１］に記載の滑り止め構造（１００）。
【００１３】
［４］前記載置カバー（１１，１１０）の内表面側であって、前記滑り止め部（１２，１２０）に重なる位置に嵩上げ層（１４）を設けたことを特徴とする［１］，［２］または［３］に記載の滑り止め構造（１０，１００）。
【００１４】
［５］前記滑り止め部（１２，１２０）は、前記書籍（Ｂ）の前記各表紙（Ｂ１，Ｂ２）の下端縁間を渡る長さに形成したことを特徴とする［１］，［２］，［３］または［４］に記載の滑り止め構造（１０，１００）。
【００１５】
［６］前記載置カバー（１１，１１０）および掛留体（１３，１３０）の少なくとも一つは透光性を有する透明材質により形成されたことを特徴とする［１］，［２］，［３］，［４］または［５］に記載の滑り止め構造（１０，１００）。
【００１６】
次に、前述した解決手段に基づく作用を説明する。
前記［１］に記載の滑り止め構造（１０，１００）によれば、書籍（Ｂ）の下端である地小口（Ｂ３）に沿って、表表紙（Ｂ１）と裏表紙（Ｂ２）間を載置カバー（１１，１１０）が渡されており、地小口（Ｂ３）に重なる部位には滑り止め部（１２，１２０）を有している。これにより、書籍（Ｂ）の重量を滑り止め部（１２，１２０）に伝え摩擦力を有効に生じさせて載置面上での書籍（Ｂ）の移動を防ぐことができる。
【００１７】
また、載置カバー（１１，１１０）の各端縁間には掛留体（１３，１３０）が掛け渡されており、載置カバー（１１，１１０）を書籍（Ｂ）に密着させて、書籍（Ｂ）を周回するように閉じた状態に維持する。これにより、振幅や加速度の大きなゆれ、特に水平方向の動きが大きい地震が発生しても、書籍の厚さ方向における「ゆがみ」が生じることがなく、よって、書籍（Ｂ）が開いて摩擦力が適切に働かなくなる現象を防ぎ、書籍（Ｂ）の重量を載置面に伝えて摩擦力を生じさせ、書籍（Ｂ）の移動を確実に抑制することができる。
【００１８】
前記［２］に記載の滑り止め構造（１０）によれば、掛留体（１３）は、載置カバー（１１）とは別体の帯状に形成される。この掛留体（１３）の一端（１３ａ）を、載置カバー（１１）のうち書籍（Ｂ）の表表紙（Ｂ１）および裏表紙（Ｂ２）の何れか一方を覆う側（１１ａ）に止着し、該掛留体（１３）の途中を、載置カバー（１１）のうち書籍（Ｂ）の表表紙（Ｂ１）および裏表紙（Ｂ２）の何れか他方を覆う側（１１ｂ）に沿って周回させた後、該掛留体（１３）の他端（１３ｂ）を前記一方を覆う側（１１ａ）に止着して、書籍（Ｂ）を包囲する。これにより、掛留体（１３）および載置カバー（１１）は多重に連結されて書籍（Ｂ）は綴じられることとなる。
【００１９】
また、地小口（Ｂ３）の下に位置する載置カバー（１１）には、滑り止め部（１２）が形成される。書籍（Ｂ）は表表紙（Ｂ１）または裏表紙（Ｂ２）が開くことなく、その重量を滑り止め部（１２）に伝えて摩擦力を生じさせ、書籍（Ｂ）の移動を確実に抑制することができる。
【００２０】
前記［３］に記載の滑り止め構造（１００）によれば、掛留体（１３０）は、載置カバー（１１０）のうち書籍（Ｂ）の表表紙（Ｂ１）および裏表紙（Ｂ２）の何れか一方を覆う側（１１０ａ）より左右方向に延びるカバー状に一体に形成される。この掛留体（１３０）の両端（１３０ａ，１３０ｂ）を、それぞれ載置カバー（１１０）のうち書籍（Ｂ）の表表紙（Ｂ１）および裏表紙（Ｂ２）の何れか他方を覆う側（１１０ｂ）に沿って周回させた後、該他方を覆う側（１１０ｂ）で互いに重ね合わせた状態で止着して、前記書籍（Ｂ）を包囲する。これにより、掛留体（１３０）および載置カバー（１１０）によって、書籍（Ｂ）は少なくとも下方を包み込まれたような状態で綴じることができる。
【００２１】
また、地小口（Ｂ３）の下に位置する載置カバー（１１０）には、滑り止め部（１２０）が形成される。書籍（Ｂ）は表表紙（Ｂ１）または裏表紙（Ｂ２）が開くことなく、その重量を滑り止め部（１２０）に伝えて摩擦力を生じさせ、書籍（Ｂ）の移動を確実に抑制することができる。特に掛留体（１３０）の両端（１３０ａ，１３０ｂ）は、互いに重ね合わせた状態で止着されるので、強い揺れの際、開いて分解していこうとする書籍をいっそう強力に綴じることができる。
【００２２】
前記［４］に記載の滑り止め構造（１０，１００）によれば、載置カバー（１１，１１０）の書籍（Ｂ）に接する内表面側であって、滑り止め部（１２，１２０）に重なる位置に嵩上げ層（１４）を設けた。これにより、書籍（Ｂ）が上製本であって地小口（Ｂ３）の本文が表表紙（Ｂ１）若しくは裏表紙（Ｂ２）より凹んでいる場合であっても、書籍（Ｂ）の重量を適切に滑り止め部（１２）に伝えて摩擦力を生じさせることができる。
【００２３】
前記［５］に記載の滑り止め構造（１０，１００）によれば、滑り止め部（１２，１２０）を書籍（Ｂ）の厚さに対応して各表紙（Ｂ１，Ｂ２）の下端縁間に渡る長さに形成した。これにより、水平方向の動きに対して、より充分な摩擦力を得ることができ、いっそう確実に書籍の動きを抑制することができる。
【００２４】
前記［６］に記載の滑り止め構造（１０，１００）によれば、載置カバー（１１，１１０）および掛留体（１３，１３０）の少なくとも一つは透光性を有する透明材質により形成した。これにより、書棚等に載置されている時、書棚等から取り出して表紙等に記載されている事項を確認する時など、記載された文字等を視認することが可能となり、また、美観上も優れている。
【発明の効果】
【００２５】
本発明に係る滑り止め構造によれば、書籍等の物体の重量を適切に滑り止め部に伝え摩擦力を生じさせるので、書籍の移動を防ぐか、または最小化することができる。また、それにより書棚等からの書籍の落下を防ぎまたは遅らせて避難空間や時間を確保することができる。
【００２６】
さらに、書籍に対する取り付け作業も容易であり、通常の書籍の使用に支障を来すことが無く、簡易な材料により製造されるのでコストも低廉なものとなる。特に本発明は、地震の際は危険性の高い重量の大きな書籍に使用されて、その落下を防ぐので、その安全への効果は顕著なものとなる。
【図面の簡単な説明】
【００２７】
【図１】本発明の第１の実施の形態に係る滑り止め構造の使用状態を示す斜視図である。
【図２】本発明の第１の実施の形態に係る滑り止め構造の使用状態を示す別の方向からの斜視図である。
【図３】本発明の第１の実施の形態に係る滑り止め構造の使用状態を書籍の前小口側から見た様子を示す斜視図である。
【図４】本発明の第１の実施の形態に係る滑り止め構造の底面図である。
【図５】本発明の第１の実施の形態に係る滑り止め構造の平面図である。
【図６】本発明の第２の実施の形態に係る滑り止め構造の使用状態を示す斜視図である。
【図７】本発明の第２の実施の形態に係る滑り止め構造の平面図である。
【図８】本発明の第２の実施の形態に係る滑り止め構造の底面図である。
【図９】本発明の第2の実施の形態に係る滑り止め構造の取り付け手順を示す説明図である。
【発明を実施するための形態】
【００２８】
以下、図面に基づき本発明を代表する各種実施の形態を説明する。
図１から図５は、本発明の第１の実施の形態を示している。
図１〜３に示すように、滑り止め構造１０は、載置面上の書籍Ｂの移動を摩擦力によって防ぐための構造である。
【００２９】
滑り止め構造１０の主要な部分を構成する載置カバー１１は、略コの字型に折り曲げられており、書籍Ｂの表表紙Ｂ１、地小口Ｂ３、裏表紙Ｂ２に密着し、最下部には滑り止め部１２を有している。また、載置カバー１１において、表表紙Ｂ１および裏表紙Ｂ２に密着される上端部には、書籍Ｂを周回するように締結するための掛留体１３を有している。掛留体１３は、載置カバー１１を書籍Ｂの下部に密着させるとともに、書籍Ｂを閉じた状態に保持するためのものである。
【００３０】
ここで、説明のために使用する書籍Ｂの部位についての用語を説明する。書籍Ｂは通常の直方体の６面のうち、表表紙Ｂ１および裏表紙Ｂ２の他、本文を綴じる側をノドＢ５といい、ノドＢ５の外表面には通常、背表紙Ｂ４を有している。また、以上の３面の表紙Ｂ１，Ｂ２，Ｂ４以外の部分を小口といい、特にノド（背表紙）と反対側の小口を前小口Ｂ６、上端の小口を天小口（図示せず）、下端の小口を地小口Ｂ３という。
【００３１】
前述したように、載置カバー１１は、書籍Ｂの厚さに応じてコの字状に折り曲げられて書籍Ｂの下部に掛留体１３により密着されて成る。材質としては折り曲げやすいように合成樹脂のシートが適している。また、書籍Ｂの下部の記載を見易いように透明素材の樹脂シートによって形成するとよい。折れ曲げやすいように予め折り目をつけておいてもよい。
【００３２】
載置カバー１１は、掛留体１３の位置により同様の高さ分だけ表表紙Ｂ１、裏表紙Ｂ２に沿って折り曲げられる必要があることから、そのガイドを樹脂シート上に記載してもよい。様々な厚さの書籍Ｂに対応するために、以上のような折り目やガイドを複数設けておくと書籍Ｂへの取り付けを楽にすることができる。
【００３３】
さらに、載置カバー１１の書籍Ｂと接する内表面は、所定の摩擦係数以下で、書籍Ｂをシートの間で滑らせる材質のものでなければならない。これは、地震の揺れの際、特に水平方向の動きを、書籍Ｂを載置カバー１１上で滑らせることにより吸収して、合わせて必要な荷重を揺れている最中も滑り止め部１２に伝えるためである。通常の合成樹脂シート程度の摩擦係数であれば、この用に足るが、必要な場合内部をコーティングするなどして、所定の摩擦係数以下に加工する。
【００３４】
図１、図２に示すように、滑り止め部１２は、書籍Ｂの地小口Ｂ３側の下端であって背表紙Ｂ４の近傍に位置させる。これにより、揺れの際の移動方向を書籍Ｂの前小口Ｂ６側に限定し、書籍Ｂの書棚からの落下を抑制することができる。
【００３５】
また、必要な摩擦力を得るためには、幅を１．５〜２ｃｍとし、長さを少なくとも書籍Ｂの厚さに亘る長さに設定される。書籍Ｂを内表面側で滑らせて揺れを受け止める際に余裕を持たせるために、若干の長さを加えた長さとし、様々な厚さの書籍Ｂに対応し得るためには、その最大の厚さに若干の長さを加えた長さに設定するとよい。
【００３６】
また、図１に示すように、書籍Ｂが上製本である場合や背表紙Ｂ４の下端が表表紙Ｂ１、裏表紙Ｂ２の下端より下方に突出して高低差Ｔを有する場合、補強等のために表紙Ｂ２，Ｂ３の一部が下方に凸状を形成している場合がある。そのため、載置カバー１１の内表面側であって、前記滑り止め部１２に重なる位置に嵩上げ層１４を設けている。
【００３７】
嵩上げ層１４は高低差Ｔの長さの分の高さを備えており、これにより、書籍Ｂの荷重を確実に受け止めて滑り止め部１２に伝えることができる。嵩上げ層１４は長期に亘って荷重を受け続けるため、相当の剛性を必要とする一方、書籍Ｂの嵩上げ層１４に接する部位に、書籍Ｂの荷重の反力を受け続けて凹みなどを生じさせないために、ウレタン等の剛性を有する合成樹脂材を使用するとよい。
【００３８】
載置カバー１１には、掛留体１３を取り付けている。掛留体１３は、コの字状に折り曲げられた載置カバー１１を書籍Ｂの下端位置に固定するとともに、振幅の大きな揺れを受けた際に、書籍Ｂを閉状態に維持するためのものである。図２に示すように、掛留体１３は、載置カバー１１とは別体の帯状に形成されている。載置カバー１１の上部であって裏表紙Ｂ２側の表面に位置する一端１１ａに、掛留体１３の一端１３ａが貼着されて、その上から補強のための補強部１３ｃが重ねられて同様に貼着される。
【００３９】
掛留体１３の途中は、表表紙Ｂ１の表面に位置する載置カバー１１の他端１１ｂに設けられた通し孔１３ｄを通って、書籍Ｂを周回し再び掛留体１３の一端１３ａが貼着された載置カバー１１の一端１１ａの面に達する。この掛留体１３の他端１３ｂは、予め糊付け等の処理が施されており、載置カバー１１の一端１１ａに貼着される。掛留体１３の各端部１３ａ，１３ｂの載置カバー１１への取り付け方法については、例えば、面ファスナーであってもよいし、紐によって構成し、載置カバー１１に巻きつけるようにしてもよい。
【００４０】
次に、滑り止め構造１０の作用について説明する。
滑り止め構造１０によれば、書籍Ｂの下端である地小口Ｂ３に沿って、表表紙Ｂ１と裏表紙Ｂ２間を載置カバー１１が渡されており、地小口Ｂ３に重なる部位には滑り止め部１２を有している。これにより、書籍Ｂの重量を滑り止め部１２に伝え摩擦力を有効に生じさせて載置面上での書籍Ｂの移動を防ぐことができる。
【００４１】
また、載置カバー１１の各端縁間には掛留体１３が掛け渡されており、載置カバー１１を書籍Ｂに密着させて、書籍Ｂを周回するように閉じた状態に維持する。これにより、振幅や加速度の大きなゆれ、特に水平方向の動きが大きい地震が発生しても、書籍Ｂの厚さ方向における「ゆがみ」が生じることがない。
【００４２】
これにより、書籍Ｂのゆがみを原因とする前方へ左右に揺れながら前進するような動きも防ぐことが可能となる。よって、書籍Ｂが開いて摩擦力が適切に働かなくなる現象を防ぎ、書籍Ｂの重量を載置面に伝えて摩擦力を生じさせ、書籍Ｂの移動を確実に抑制することができる。
【００４３】
また、載置カバー１１の書籍Ｂに接する内表面側であって、滑り止め部１２に重なる位置に嵩上げ層１４を設けた。これにより、書籍Ｂが上製本であって地小口Ｂ３の本文が表表紙Ｂ１若しくは裏表紙Ｂ２より凹んでいる場合であっても、書籍Ｂの重量を適切に滑り止め部１２に伝えて摩擦力を生じさせることができる。
【００４４】
また、滑り止め部１２を書籍Ｂの厚さに対応して各表紙Ｂ１，Ｂ２の下端縁間に渡る長さに形成した。これにより、水平方向の動きに対して、より充分な摩擦力を得ることができ、いっそう確実に書籍Ｂの動きを抑制することができる。
【００４５】
さらに、載置カバー１１および掛留体１３をそれぞれ透光性を有する透明材質により形成した。これにより、書棚等に載置されている時、書棚等から取り出して表紙等に記載されている事項を確認する時など、記載された文字等を視認することが可能となり、また、美観上も優れている。
【００４６】
図６〜９は、本発明の第２の実施の形態を示している。なお、第１の実施の形態と同種の部位には同一の符号を付し、重複した説明は省略する。
図６、図７に示すように、第２の実施の形態に係る滑り止め構造１００は、載置カバー１１０および掛留体１３０が全体にＴ字型をしており、書籍Ｂの形状に沿って折り曲げられて書籍Ｂの下部を囲み、折り曲げられた部位同士互いに止着されてなる。
【００４７】
載置カバー１１０は、書籍Ｂの表表紙Ｂ１および裏表紙Ｂ２を、背表紙Ｂ４および前小口Ｂ６を通って覆う部分である。また、掛留体１３０は、前記載置カバー１１０のうち書籍Ｂの裏表紙Ｂ２を覆う側１１０ａの上部両側から左右方向に延びるカバー状に一体に形成されている。
【００４８】
図７に示すように、載置カバー１１０および掛留体１３０において、予め所定の位置に基準折れ線１５０が形成されている。基準折れ線１５０は、書籍Ｂの背表紙Ｂ４と表表紙Ｂ１または裏表紙Ｂ２の連なる角、地小口Ｂ３と表表紙Ｂ１または裏表紙Ｂ２の連なる角を、滑り止め構造１００を取り付けるために適切な位置に配置するための基準となる折れ線である。
【００４９】
また、掛留体１３０の両端１３０ａ，１３０ｂにおいて、書籍Ｂを囲む側である内面側には、載置カバー１１０のうち書籍Ｂの表表紙Ｂ１を覆う側１１０ｂ上で互いに重ね合わせた状態で止着するための止着面１３１がそれぞれ形成されている。この止着面１３１は、通常の糊付け加工等の貼着構造であるが、面ファスナー等の方法で止着されてもよい。
【００５０】
載置カバー１１０の外面側における適所には、図８に示すように、書籍Ｂの荷重を受けて外部からの振動による移動を抑制するための滑り止め部１２０と、前述した互いに止着された両端１３０ａ，１３０ｂをさらに上から止着するための止着面１１１が形成されている。
【００５１】
第２の実施の形態に係る滑り止め構造１００の書籍Ｂへの取り付け方法について、図９（ａ）〜（ｅ）に従って説明する。
図９（ａ）に示すように、書籍Ｂまたは同書籍Ｂの束は、予め掛留体１３０および載置カバー１１０に設けられた基準折れ線１５０に、裏表紙Ｂ２の角を重ねて配置する。図９（ｂ）に示すように、載置カバー１１０側の基準折れ線１５０を折り曲げ、書籍Ｂ等の厚さに合わせて載置カバー１１０をさらに折り曲げて、載置カバー１１０により表表紙Ｂ１と裏表紙Ｂ２を前後からコの字形に囲む状態とする。
【００５２】
続けて、掛留体１３０の一端１３０ａ（図９（ｂ）においては左）を前述した載置カバー１１０と同様に書籍Ｂの表表紙Ｂ１に沿って折り曲げて、一端１３０ａの止着面１３１を載置カバー１１０に止着する。さらに、図９（ｃ）に示すように、掛留体１３０の他端１３０ｂ（図９（ｂ）においては右）を書籍Ｂの表表紙Ｂ１に沿って折り曲げて、他端１３０ｂの止着面１３１を前記一端１３０ａに重ね合わせるように止着する。最後には、図９（ｄ）に示すように、載置カバー１１０の一端側にて掛留体１３０より上に突出した部位にある止着面１１１を、掛留体１３０の両端１３０ａ，１３０ｂを重ね合わせて止着した部位のさらに上から止着すると、図９（ｅ）に示す状態となる。
【００５３】
このような本第２の実施の形態に係る滑り止め構造１００によれば掛留体１３０は、載置カバー１１０のうち書籍Ｂの裏表紙Ｂ２を覆う側１１０ａより左右方向に延びるカバー状に一体に形成される。この掛留体１３０の両端１３０ａ，１３０ｂを、それぞれ載置カバー１１０のうち書籍Ｂの表表紙Ｂ１を覆う側１１０ｂに沿って周回させた後、該他方を覆う側１１０ｂで互いを重ね合わせた状態で止着する。これにより、掛留体１３０および載置カバー１１０によって書籍Ｂは少なくとも下方を包み込まれたような状態で綴じることができる。
【００５４】
ここで載置カバー１１０は、滑り止め部１２０を書籍Ｂの地小口Ｂ３に重なる部位に備えているので、書籍Ｂの荷重を確実に滑り止め部１２０に伝えて摩擦力を生じさせることができ、載置面上での書籍Ｂの移動を確実に防ぐことができる。
【００５５】
また、載置カバー１１０および掛留体１３０は、それぞれの各位が重ね合わせた状態で多重に止着されており、載置カバー１１０を書籍Ｂに密着させて、書籍Ｂを周回するように閉じた状態に維持する。
【００５６】
これにより、振幅や加速度の大きなゆれ、特に水平方向の動きが大きい地震が発生しても、書籍Ｂの厚さ方向における「ゆがみ」が生じることがなく、開いて分解していこうとする書籍Ｂをいっそう強力に綴じることができる。
【００５７】
さらに、第２の実施の形態に係る滑り止め構造１００によれば、載置カバー１１０および掛留体１３の折り曲げ位置、止着面１１０ａ，１３０ａ，１３０ｃは書籍の形状に沿って自在に移動できるので、様々な厚さの書籍、複数の書籍をファイリングすることができる。
【００５８】
以上、本発明の実施の形態を図面によって説明してきたが、具体的な構成は前述した実施の形態に限られるものではなく、本発明の要旨を逸脱しない範囲における変更や追加があっても本発明に含まれる。例えば、嵩上げ層１４は通常の直方体形状として記載したが、角を面取りしたり、台形状にするなどしてもよい。
【００５９】
この場合、書籍Ｂの重量の反力によって書籍Ｂの本文を凹ませることを防止することができる。また、第２の実施の形態に係る滑り止め構造１００には、嵩上げ層１４を備えないものとして記載したが、第１の実施の形態にかかる滑り止め構造１０と同様に滑り止め部１２０に重なる部位に備えるものとしても良い。
【産業上の利用可能性】
【００６０】
本発明に係る滑り止め構造は、書籍などを棚に架する用途全般に適用することができる。
【符号の説明】
【００６１】
Ｂ…書籍
Ｂ１…表表紙
Ｂ２…裏表紙
Ｂ３…地小口
Ｂ４…背表紙
Ｂ５…ノド
Ｂ６…前小口
Ｔ…高低差
１０…滑り止め構造
１１…載置カバー
１２…滑り止め部
１３…掛留体
１４…嵩上げ層
１００…滑り止め構造
１１０…載置カバー
１２０…滑り止め部
１３０…掛留体
１５０…基準折れ線
【図１】
2014037117.tif 000003
【図２】
2014037117.tif 000004
【図３】
2014037117.tif 000005
【図４】
2014037117.tif 000006
【図５】
2014037117.tif 000007
【図６】
2014037117.tif 000008
【図７】
2014037117.tif 000009
【図８】
2014037117.tif 000010
【図９】
2014037117.tif 000011